【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
隣接されて同色を担当する第１の画素と第２の画素とを備え、この第１の画素と第２の画素に色味の異なるカラーフィルタが形成されているとともに、
第１の画素の液晶を駆動させる電圧と第２の画素の液晶を駆動させる電圧を独立に制御させることを特徴とする液晶表示装置。
【請求項２】
一の色を担当する画素を有し、この画素の第１区分領域と第２区分領域に色味の異なるカラーフィルタが形成されているとともに、
前記第１区分領域の液晶の層厚が第２区分領域の液晶の層厚よりも大きく形成されていることを特徴とする液晶表示装置。
【請求項３】
液晶を介して配置される各基板のうち一方の基板の画素内に形成された画素電極と対向電極とを備え、これら電極のうち少なくとも一方は並設された複数の電極群から構成され、
この画素の第１区分領域と第２区分領域に色味の異なるカラーフィルタが形成されているとともに、
前記第１区分領域と第２区分領域において隣接する電極の間隔が異なっていることを特徴とする液晶表示装置。
【請求項４】
液晶を介して配置される各基板のうち一方の基板の画素内に形成された画素電極と対向電極とを備え、これら電極のうち少なくとも一方は並設された複数の電極群から構成され、
この画素の第１区分領域と第２区分領域に色味の異なるカラーフィルタが形成されているとともに、
前記第１区分領域と第２区分領域における前記電極群の各電極が仮想の線に対して傾く角度が異なっていることを特徴とする液晶表示装置。
【請求項５】
色味の異なる各カラーフィルタはＣＩＥ色度座標上において座標が異なっていることを特徴とする請求項１から４のうちいずれかに記載の液晶表示装置。
【請求項６】
第２の画素は第１の画素からの表示情報のＣＩＥ色度座標における座標変位を補償する画素として構成されていることを特徴とする請求項１に記載の液晶表示装置。
【請求項７】
第２区分領域は第１区分領域からの表示情報のＣＩＥ色度座標における座標変位を補償する画素として構成されていることを特徴とする請求項２から４のうちいずれかに記載の液晶表示装置。
【請求項８】
第１の画素の輝度を第２の画素よりも輝度を大きくして駆動させることを特徴とする請求項１に記載の液晶表示装置。
【請求項９】
第１区分領域の輝度を第２区分領域よりも輝度を大きくして駆動させることを特徴とする請求項２から４のうちいずれかに記載の液晶表示装置。
【請求項１０】
第１の画素に形成された第１のカラーフィルタと第２の画素に形成された第２のカラーフィルタは、同色のカラーフィルタを通して観測される色の色度座標を高階調から低階調への変化に伴って変化させた場合に、その変化移動の始点側の座標で特定されるカラーフィルタを前記第１のカラーフィルタとし、終点側の座標で特定されるカラーフィルタを前記第２のカラーフィルタとして形成されていることを特徴とする請求項１に記載の液晶表示装置。
【請求項１１】
第１区分領域に形成された第１のカラーフィルタと第２区分領域に形成された第２のカラーフィルタは、同色のカラーフィルタを通して観測される色の色度座標を高階調から低階調への変化に伴って変化させた場合に、その変化移動の始点側の座標で特定されるカラーフィルタを前記第１のカラーフィルタとし、終点側の座標で特定されるカラーフィルタを前記第２のカラーフィルタとして形成されていることを特徴とする請求項２から４のうちいずれかに記載の液晶表示装置。
【請求項１２】
画素電極と対向電極のうち他方の電極は絶縁膜を介して一方の電極を重畳させ画素のほぼ全域に形成されていることを特徴とする請求項３、４のうちいずれかに記載の液晶表示装置。
【請求項１３】
画素電極と対向電極のうち他方の電極は複数の電極群から構成され、これら各電極は一方の電極の各電極と交互に配置されていることを特徴とする請求項３、４のうちいずれかに記載の液晶表示装置。
【請求項１４】
カラー表示用の単位画素を構成する赤、緑、青の各色を担当する各画素が並設して形成され、これら各画素はそれぞれ第１の画素とし、対応する色を担当し、かつその色と同色の第１の画素と隣接して配置される第２の画素が備えられていることを特徴とする請求項１に記載の液晶表示装置。
【請求項１５】
カラー表示用の単位画素を構成する赤、緑、青の各色を担当する各画素が隣接して形成して形成され、それぞれの画素において第１区分領域および第２区分領域を備えることを特徴とする請求項２から４のうちいずれかに記載の液晶表示装置。
【手続補正２】
【補正対象書類名】明細書
【補正対象項目名】０００３
【補正方法】変更
【補正の内容】
【０００３】
液晶を透過する光（可視光：波長は約３８０ｎｍから７８０ｎｍの範囲）は、前記階調によって、各波長ごとにその透過率が変化する。これは階調により液晶（分子）の光軸方向が変化し、光の偏光状態が変わるためと考えられている。
また、カラー表示用の液晶表示装置においては、隣接する３個の各画素に赤色、緑色、青色のカラーフィルタを備えさせ、それぞれ各色を担当する画素において前記階調に基づく光の透過量を得、これらを混合させて所望の色を現出せしめている。
【手続補正３】
【補正対象書類名】明細書
【補正対象項目名】００１８
【補正方法】変更
【補正の内容】
【００１８】
（１０）
本発明による液晶表示装置は、たとえば、（１）の構成を前提とし、第１の画素に形成された第１のカラーフィルタと第２の画素に形成された第２のカラーフィルタは、同色のカラーフィルタを通して観測される色の色度座標を高階調から低階調への変化に伴って変化させた場合に、その変化移動の始点側の座標で特定されるカラーフィルタを前記第１のカラーフィルタとし、終点側の座標で特定されるカラーフィルタを前記第２のカラーフィルタとして形成されていることを特徴とする。
【手続補正４】
【補正対象書類名】明細書
【補正対象項目名】００１９
【補正方法】変更
【補正の内容】
【００１９】
（１１）
本発明による液晶表示装置は、たとえば、（２）から（４）のうちいずれかの構成を前提とし、第１区分領域に形成された第１のカラーフィルタと第２区分領域に形成された第２のカラーフィルタは、同色のカラーフィルタを通して観測される色の色度座標を高階調から低階調への変化に伴って変化させた場合に、その変化移動の始点側の座標で特定されるカラーフィルタを前記第１のカラーフィルタとし、終点側の座標で特定されるカラーフィルタを前記第２のカラーフィルタとして形成されていることを特徴とする。
【手続補正５】
【補正対象書類名】明細書
【補正対象項目名】００３４
【補正方法】変更
【補正の内容】
【００３４】
また、赤色（Ｒ）を担当する各画素ＰＩＸ１、ＰＩＸ２のそれぞれに供給される信号（映像信号）においても、若干の電圧差を有するようになっている。換言すれば、所望の階調に相当する電圧に対し、たとえば画素ＰＩＸ２側において異なっており、あるいは各画素ＰＩＸ１、ＰＩＸ２の双方において異なっている。
【手続補正６】
【補正対象書類名】明細書
【補正対象項目名】００３５
【補正方法】変更
【補正の内容】
【００３５】
このように構成するのは、一方の画素ＰＩＸ１においてその液晶（該画素ＰＩＸ１に供給される信号によって挙動する）および当該画素ＰＩＸ１に形成されるカラーフィルタＣＦ（Ｒ）を透過して得られる光と、他方の画素ＰＩＸ２においてその液晶（該画素ＰＩＸ２に供給される信号によって挙動する）および当該画素ＰＩＸ１に形成されるカラーフィルタＣＦ（Ｒ）を透過して得られる光と、の混色からなる表示が、階調に左右されずに所望の色味を呈するようにさせるためである。
このことは、たとえば各色を呈する画素ＰＩＸ１が、その階調によって色味が変化するのを画素ＰＩＸ２によって補正することにより該色味を一様とするとしてみることもできる。
【手続補正７】
【補正対象書類名】明細書
【補正対象項目名】００４０
【補正方法】変更
【補正の内容】
【００４０】
ちなみに、従来の構成であって、図３はＶＡ方式であってノーマリーブラックモードで表示した際のＣＩＥ色度座標における階調依存性を示した図、図４はＩＰＳ方式であってノーマリーブラックモードで表示した際のＣＩＥ色度座標における階調依存性を示した図であり、上記と同様の現象が顕れることが確かめられる。
これに対し、図５は、上述した色度座標の階調によるずれを補正によって回避し、本来表示すべき色を表示させることを示したもので、上述した図３等と対応した図となっている。
【手続補正８】
【補正対象書類名】明細書
【補正対象項目名】００４８
【補正方法】変更
【補正の内容】
【００４８】
このような現象は、図１に示した構成において、赤、緑、および青の各同色のカラーフィルタＣＦ（上述したように第１画素ＰＩＸ１と第２画素ＰＩＸ２のそれらはＣＩＥ色度座標上において若干座標がずれたものとなっている）を備える第１画素ＰＩＸ１と第２画素ＰＩＸ２との間になされ、結果として、階調の変化に拘わらずそれらの色味は変化せず、カラー用表示の一単位画素から得られる混色表示においても変化のないものが得られる。
【手続補正９】
【補正対象書類名】明細書
【補正対象項目名】００５０
【補正方法】変更
【補正の内容】
【００５０】
ここで、映像信号からの同じ階調信号であっても、第１画素ＰＩＸ１（領域１）で得られる輝度と第２画素ＰＩＸ２（領域２）で得られる輝度に差を生じるようにし（この具体的構成は後述）、常に、(第１画素ＰＩＸ１で得られる輝度)≧（第２画素ＰＩＸ２で得られる輝度）の関係が成り立つようにしておく。図６で説明したように、第１画素ＰＩＸ１における輝度（明るさ）の方が第２画素ＰＩＸ２におけるそれよりも常時明るい状態を保持させるためである。
この第１画素ＰＩＸ１と第２画素ＰＩＸ２を通して観察される各輝度は第１画素ＰＩＸ１からのそれと第２画素ＰＩＸ２からのそれとの合計されたものとして認識できる。
【手続補正１０】
【補正対象書類名】明細書
【補正対象項目名】００５４
【補正方法】変更
【補正の内容】
【００５４】
図１１は、上述した構成からなる液晶表示装置における色度座標の階調依存性を確認したグラフである。図１２において実線は相対透過率１００％の場合、太点線は相対透過率５０％の場合、細点線は相対透過率５％の場合を示しているが、それらは重なりあって図示され、各線を識別するのが困難な程度となっている。
【手続補正１１】
【補正対象書類名】明細書
【補正対象項目名】００５５
【補正方法】変更
【補正の内容】
【００５５】
これに対し、図１２は、上述した構成を採用していない従前の液晶表示装置における色度座標の階調依存性を示したもので、この図は本実施例の構成による効果を明らかにするための説明で引用したものと同じものであるが、比較のため、再度示したものである。